(57)【要約】【課題】処理対象水の水質が変動した場合であっても凝集処理設備の運転条件を変動後の水質に速やかに適合させることができるようにする。【解決手段】処理対象水の一部を分岐して凝集処理装置における実処理に沿った凝集試験（例えばジャーテスト）を行うときの初期条件として、過去に行なった凝集試験についての水質条件とテスト条件と結果とを蓄積したデータベースを現在の水質条件に基づいて検索して、最適なものとして得られたテスト条件を使用する。【選択図】図１
2020006346.tif 000002
【特許請求の範囲】
【請求項１】
処理対象水の凝集処理を行なう凝集処理装置の運転方法であって、
前記処理対象水の一部を分岐して凝集処理装置における実処理に沿った凝集試験を行うときの初期条件として、過去に行なった凝集試験についての水質条件とテスト条件と結果とを蓄積したデータベースを現在の水質条件によって検索して得られたテスト条件を使用する、凝集処理装置の運転方法。
【請求項２】
前記凝集処理装置において前記凝集試験を行なうごとに、前記水質条件と前記テスト条件と前記結果とを前記データベースに送信して蓄積する、請求項１に記載の運転方法。
【請求項３】
前記凝集処理装置において前記凝集試験を行なうごとに、最新の凝集試験の結果に基づいて前記凝集処理装置の運転条件を設定する、請求項１または２に記載の運転方法。
【請求項４】
複数の凝集処理装置に対して前記データベースが共通に設けられている、請求項１乃至３のいずれか１項に記載の運転方法。
【請求項５】
前記処理対象水または処理水の少なくとも一方の水質が閾値を逸脱したときに、前記凝集試験を行なって前記運転条件を再設定する、請求項１乃至４のいずれか１項に記載の運転方法。
【請求項６】
水質に対する閾値が複数設定され、どの閾値を逸脱したかに応じ、予め設定した変動幅と優先順位とにしたがってテスト条件を変化させて前記凝集試験を実行するか、及び前記データベースを検索して得られたテスト条件を使用して前記凝集試験を実行するか、のいずれかが選択される、請求項５に記載の運転方法。
【請求項７】
浮遊物質量、濁度及び色相の少なくとも１つの懸濁指標として、前記水質条件は、前記処理対象水の懸濁指標、前記処理対象水のｐＨ、前記処理対象水の水温、処理水の懸濁指標及び処理水のｐＨから選ばれた１以上の項目を含む、請求項１乃至６のいずれか１項に記載の運転方法。
【請求項８】
処理対象水の凝集処理を行なう凝集処理装置の運転を制御する運転システムであって、
前記処理対象水の一部を分岐した被試験水に対して凝集試験を行なう凝集試験装置と、
１以上の凝集処理装置について過去に行なった凝集試験についての水質条件とテスト条件と結果とを蓄積したデータベースと、
現在の水質条件によって前記データベースを検索して得られたテスト条件を用いて前記凝集試験装置に凝集試験を実行させる制御装置と、
を有する運転システム。
【請求項９】
前記制御装置は、前記凝集処理装置において前記凝集試験を行なうごとに、前記水質条件と前記テスト条件と前記結果とを前記データベースに送信する、請求項８に記載の運転システム。
【請求項１０】
前記制御手段は、前記凝集試験を行なうごとに、最新の凝集試験の結果に基づいて前記凝集処理装置の運転条件を設定する、請求項８または９に記載の運転システム。
【発明の詳細な説明】
【技術分野】
【０００１】
本発明は、浄水処理、工業用水処理、下水処理、排水処理などでの固液分離処理に用いられる凝集処理設備の運転方法及び運転システムに関し、特に、凝集処理設備への薬品注入量あるいは薬品注入率などの運転条件の設定を自動化する運転方法及び運転システムに関する。
【背景技術】
【０００２】
浄水処理、排水処理などにおいて用いられる凝集処理設備は、処理対象水（原水あるいは排水）に対し、凝集剤、凝集助剤、ｐＨ調整剤（塩酸、水酸化ナトリウム水溶液など）を添加し、処理対象水中の懸濁物質（濁質）から凝集フロックを生成する。凝集剤などの薬品投入量は、処理対象水の水質に合わせて設定する必要があり、そのため、処理対象水から採取した試料水に対し、実際の凝集処理設備と同様のプロセスによる凝集試験を行い、凝集試験の実行結果に基づいて薬品の最適投入量を定めている。凝集試験の代表的なものとしてジャーテストがあり、ジャーテストでは、ビーカーに入れた試料水に凝集剤などの薬品を添加して撹拌して静置し、静置後の上澄水を採取して濁度や色度を測定し、また、ビーカーに残った試料水をろ過してろ過水の濁度や色度も測定する。実際には、複数のビーカーに対して同時に撹拌と静置を行うことができる例えば３連から１０連のジャーテスターを使用し、試料水を入れたビーカーごとに異なる量の薬品を添加して複数のビーカー内の試料水に対して同時並行的にジャーテストを実行する。そして、複数のビーカーのうちどれが目標とする水質値を実現しかつ最も良好な結果を示したかに基づき、凝集処理設備において実際に投入する薬品量を決定する。
【０００３】
処理対象水の水質は変化し得るものであるが、水質の変化量が小さい場合には、ジャーテストから得られた設定値をそのまま使用するか、あるいはこの設定値に対して水質の変化に応じた補正を加えて薬品投入量とすることができる。さらには、ジャーテストの結果に基づいて複数の設定値を用意し、水質に応じていずれか１つの設定値を選択することも可能である。しかしながら、処理対象水の水質が大きく変化した場合には、先に行なったジャーテストの結果に基づいた設定値を使用することはできず、あらためてジャーテストを行なって薬品投入量の最適値を探索する必要がある。
【０００４】
凝集処理設備において薬品注入量を自動的に制御する技術がいくつか提案されている。活性汚泥を凝集沈殿させる凝集処理装置における無機凝集剤の投入量に関し、特許文献１は、曝気槽の活性汚泥の表面荷電が中和状態となるように無機凝集剤を投入する構成とすることを開示している。しかしながら特許文献１に記載の方法は、特定の活性汚泥の処理に限定されるものであるとともに表面荷電の計測手段を必要として設備構成が複雑となる。また無機凝集剤のほかに高分子凝集剤の投入する必要があり、ジャーテストによって薬品投入量の最適値を決定する処理を必要とする。浄水処理のための凝集処理装置に関し、特許文献２は、原水の濁度と、回転フィルタによって原水中の濁質を分級して得た濁質分級処理水に凝集剤を注入したときの上澄み液の濁度と、原水に凝集剤を注入した後に分級を行なって得たフロック分級処理水の濁度と、を使用して凝集剤の注入量を決定することを開示している。しかしながら特許文献２に記載の方法は、回転フィルタなどを必要として設備構成が複雑となる上に、処理対象水の水質が大きく変化した場合には、結局はジャーテストを行なうことが必要となる。
【先行技術文献】
【特許文献】
【０００５】
【特許文献１】特開２０１４−９１０５５号公報
【特許文献２】特開２０１１−６７７７６号公報
【発明の概要】
【発明が解決しようとする課題】
【０００６】
凝集処理設備の運転条件、特に薬品注入量や注入率は、処理対象水から採取した試料水に対してジャーテストを行なった結果に基づいて決定されるが、処理対象水の性状が変化したときにはジャーテストを再度行なって、設定をやり直す必要がある。ジャーテストの実施にはある程度の時間を要するので、ジャーテストの結果に基づいて薬品注入量の再設定を行なうまでは、必ずしも最適とは言えない運転条件で凝集処理設備が運転されることになり、凝集処理設備より後段に設けられる設備への悪影響が懸念される。最適とは言えない運転条件で凝集処理設備が運転される時間を短縮することが望まれている。
【０００７】
ジャーテストによって薬品投入量の最適値を求める場合には、トライアンドエラー法を用いるので、最適な凝集状態と判断される状態が得られるまで、ジャーテストを反復して実行することになる。そのため、ジャーテストの初期条件の選択が重要であり、適切な初期条件でジャーテストを開始すれば、薬品投入量の最適値を得るために必要な時間も短縮される。熟達した作業員であれば適切な初期条件を選択できるのでジャーテストの試行回数を削減できるが、経験が十分ではない作業員がジャーテストを実行するときは、凝集処理装置の最適な運転条件を設定するためにジャーテストの繰り返し回数が増えて多くの時間を要することになる。
【０００８】
本発明の目的は、処理対象水の水質が変動した場合であっても凝集処理設備の運転条件を変動後の水質に速やかに適合させることが可能な、凝集処理設備の運転方法及び運転システムを提供することにある。
【課題を解決するための手段】
【０００９】
本発明の運転処理方法は、処理対象水の凝集処理を行なう凝集処理装置の運転方法であって、処理対象水の一部を分岐して凝集処理装置における実処理に沿った凝集試験を行うときの初期条件として、過去に行なった凝集試験についての水質条件とテスト条件と結果とを蓄積したデータベースを現在の水質条件によって検索して得られたテスト条件を使用する。
【００１０】
本発明の運転処理システムは、処理対象水の凝集処理を行なう凝集処理装置の運転を制御する運転システムであって、処理対象水の一部を分岐した被試験水に対して凝集試験を行なう凝集試験装置と、１以上の凝集処理装置に関して過去に行なった凝集試験についての水質条件とテスト条件と結果とを蓄積したデータベースと、現在の水質条件によってデータベースを検索して得られたテスト条件を用いて凝集試験装置に凝集試験を実行させる制御装置と、を有する。
【発明の効果】
【００１１】
本発明によれば、対象とする凝集処理装置とは異なっていてもよい１以上の凝集処理装置について過去に行なった凝集試験についての水質条件とテスト条件と結果とを蓄積したデータベースを利用し、凝集試験を行なおうとするときに、現在の水質条件を用いてデータベースの中からテスト条件を取得するので、現在の水質条件に対して最適と考えられるテスト条件を得ることができる。このテスト条件を用いて今回の凝集試験を行なうことにより、処理対象水の水質が変動した場合であっても凝集処理設備の運転条件を変動後の水質に速やかに適合させることが可能になる。
【図面の簡単な説明】
【００１２】
【図１】本発明の実施の一形態の凝集処理装置の構成を示す図である。
【図２】運転条件を設定する処理を示すフローチャートである。
【発明を実施するための形態】
【００１３】
次に、本発明の好ましい実施の形態について説明する。図１は、本発明の実施の一形態の凝集処理装置の構成を示している。この凝集処理装置は、処理対象水に凝集剤などを添加して凝集処理を行うものであり、処理対象水に凝集剤を添加して混和する混和槽１０と、混和槽１０の下流側に設けられ、凝集剤が添加された処理対象水に凝集助剤を添加することによりフロックを形成させる凝集槽２０と、凝集槽２０の下流側に設けられ、フロックが形成された処理対象水に対する処理を行なう処理装置３０と、を備えている。処理装置３０は、例えば、沈殿槽や浮上槽などであり、この凝集処理装置からの処理水を排出する。さらに凝集処理装置は、ジャーテストを実行する自動ジャーテスター４１と、凝集処理装置の動作の全体を制御する制御装置４２と、を備えている。制御装置４２は、データベース４３と接続している。制御装置４２は、例えば、プログラマブルロジックコントローラ（ＰＬＣ）あるいはマイクロコンピュータによって構成されている。
【００１４】
混和槽１０に処理対象水を供給する配管には、処理対象水の温度を測定する温度センサ５１、処理対象水の濁度を測定する濁度センサ５２、及び、処理対象水の流量を測定する流量センサ５３が設けられている。濁度センサ５２は、処理対象水の濁度ではなく、ＳＳ（浮遊物質量；Suspended Solid）あるいは色相を測定するセンサであってもよい。さらに、処理対象水を供給する配管には、混和槽１０に供給される処理対象水のｐＨを測定するｐＨセンサ５４が設けられていてもよい。
【００１５】
混和槽１０には、モータ１１によって駆動されて混和槽１０内の処理対象水を撹拌する撹拌装置１２と、混和槽１０内の処理対象水のｐＨを測定するｐＨセンサ１３が設けられている。また混和槽１０には、処理対象水と凝集剤が供給されるとともに、ｐＨ調整剤として塩酸（ＨＣｌ）、硫酸（Ｈ2ＳＯ4）、炭酸（ＣＯ2）などの酸及び水酸化ナトリウム（ＮａＯＨ）、水酸化カルシウム（Ｃａ（ＯＨ）2）、炭酸ナトリウム（Ｎａ2ＣＯ3）などのアルカリが注入されるようになっている。塩酸など酸性のｐＨ調整剤を酸側ｐＨ調整剤と呼び、水酸化ナトリウムなどアルカリ性のｐＨ調整剤をアルカリ側ｐＨ調整剤と呼ぶことにする。センサ１３，５１〜５４での測定値は、制御装置４２に送られる。
【００１６】
凝集槽２０には、モータ２１によって駆動されて凝集槽内２０の処理対象水を撹拌する撹拌装置２２が設けられている。
【００１７】
処理設備３０から排出される処理水の配管には、処理水の濁度を測定する濁度センサ３１が設けられている。濁度センサ３１は、濁度ではなくＳＳあるいは色相を測定するセンサであってもよいし、濁度と色相とを同時に測定するセンサであってもよい。処理水の配管には、さらに、処理水のｐＨを測定するｐＨセンサ３２が設けられていてもよい。センサ３１，３２での測定値は制御装置４２に送られる。
【００１８】
自動ジャーテスター４１は、凝集試験装置であって、処理対象水の配管から分岐した処理対象水が供給されるとともに、凝集剤、酸側ｐＨ調整剤、アルカリ側ｐＨ調整剤及び凝集助剤の供給を受け、制御装置４２から指示されたテスト条件によりジャーテストを自動的に行う。自動ジャーテスター４１は、処理対象水におけるフロックの形成状態を撮影するためのカメラや、ジャーテスト後の処理対象水の水質を測定するセンサ、例えば濁度（ＳＳあるいは色相であってもよい）を測定するセンサを備えており、カメラで撮像された画像やセンサでの測定値をテスト結果として制御装置４２に送る。自動ジャーテスター４１はｐＨセンサを備えていてもよく、その場合はｐＨセンサでの測定値も制御装置４２に送られる。
【００１９】
次に、データベース４３について説明する。本実施形態においてデータベース４３は、制御装置４２から離れて設けられていてもよいサーバーなどのコンピュータ上に構築されるものであり、同一であっても異っていてもよい１以上の凝集処理装置について行なった過去のジャーテストの情報を蓄積するものである。制御装置４２とデータベース４３は、通信回線などによって接続されている。図１では制御装置４２とデータベース４３とは１対１に設けられているが、実際には、相互に隔たった複数の箇所の各々に設けられている凝集処理装置が単一のデータベース４３に接続している。データベース４３は、凝集処理装置においてジャーテストを行なうときにテスト条件の設定のために照会され、各凝集処理装置においてジャーテストを行なったときの水質条件とテスト条件（特に薬剤等の注入量）とジャーテストの結果（特に凝集状態）とを蓄積するものである。したがってデータベース４３に接続された各凝集処理装置は、ジャーテストを実行するたびに、そのときの水質条件とテスト条件とジャーテストの結果とをデータベース４３に送信することが好ましい。複数の凝集処理装置が１つのデータベース４３を共有することにより、処理対象水の水質について幅広い範囲での、水質ごとに最適なテスト条件がデータベース４３に蓄積されることとなる。その結果、処理対象水の水質が大きく変動し許容範囲の閾値を逸脱したような場合に、変動した水質に基づいてデータベース４３を検索することにより、過去のジャーテストの結果に基づいた適切なテスト条件を新たなジャーテスト実行のために参考値として容易に取得することができるようになる。また、新規に凝集処理装置を設けたときのジャーテストの初期条件を探索するためにも、データベース４３を利用して水質条件に適合した初期条件を得ることができる。
【００２０】
次に、制御装置４２について説明する。制御装置４２は、センサ１３，３１，３２，５１〜５４での測定結果に基づき、凝集処理装置の全体の制御を行なうものである。図１に示す凝集処理装置においては、凝集剤の注入量（あるいは注入率）と、凝集助剤の注入量（あるいは注入率）と、酸側及びアルカリ側のそれぞれのｐＨ調整剤の注入が制御装置４２によって制御される。撹拌装置１２，２２の撹拌条件もモータ１１，２１を解して制御装置４２によって制御される。混和槽１０内のｐＨは、ｐＨセンサ１３での測定値に基づいて制御装置４２がｐＨ調整剤の注入をフィードバック制御することによって、運転条件で設定された値に維持される。
【００２１】
さらに制御装置４２は、データベース４３と通信する機能と、自動ジャーテスター４１にテスト条件を設定してジャーテストを実行させ、自動ジャーテスター４１からテスト結果を受け取り、受け取ったテスト結果に基づいて凝集処理装置の運転条件を設定する機能を備える。自動ジャーテスター４１に設定されるテスト条件には、凝集剤や凝集助剤、ｐＨ調整剤の注入量、撹拌時間、静置時間などが含まれる。本実施形態においては、ジャーテストのテスト結果から最良のものを選択して、凝集処理装置の実際の運転に反映させるが、後述するように、自動的に運転条件が設定されるようにしてもよいし、運転員の確認の下で運転条件を設定するようにしてもよい。
【００２２】
本実施形態では、凝集処理装置を設置して初めて運転するときのジャーテストのテスト条件や、例えば処理対象水の水質が大きく変化したときに行なうジャーテストのテスト条件としては、データサーバ４３を検索することによって得られたものを使用する。そのため制御装置４２は、初期値（初回のジャーテストのとき）及び参考値（水質条件が大きく変化したとき）をデータサーバ４３に要求し、データベース４３から初期値あるいは参考値を取得する機能を有する。具体的には、センサ１３，３１，３２，５１〜５４からの測定値によって把握される現在の水質条件を用いてデータベース４３を検索し、現在の水質条件に対して最適なものとして初期値あるいは参考値であるテスト条件を取得する。そして取得したテスト条件に基づいて自動ジャーテスター４１にジャーテストを実行させる。このとき、データベース４３内のデータに対して確率統計的な解析を行ない、今回行なうジャーテストとして成功確率の高いと予想される順で複数のテスト条件を取得し、実際のジャーテストにおいて合格となるまで、取得したテスト条件を順次適用してジャーテストを繰り返し実行してもよい。また、ある濁度（あるいはＳＳ、色度）範囲における凝集剤、凝集助剤の注入率に関してデータベース４３内に合格値が存在する場合、その最小値Ｍｉｎと最大値Ｍａｘとを取得し、（１）最小値Ｍｉｎと最大値Ｍａｘとの平均値Ａｖｅ１、（２）平均値Ａｖｅ１と最大値Ｍａｘとの平均値Ａｖｅ２、（３）最大値Ｍａｘ、（４）平均値Ａｖｅ２と最小値Ｍｉｎとの平均値Ａｖｅ３、及び（５）最小値Ｍｉｎの順でジャーテストの実施順位を定め、実際ジャーテストにおいて合格となるまでジャーテストを実行してもよい。
【００２３】
データベース４３の検索に用いられる水質条件としては、処理対象水のＳＳ（あるいは濁度または色相）、処理対象水のｐＨ、処理対象水の水温、処理水のＳＳ（あるいは濁度または色相）及び処理対象水のｐＨのうちの少なくとも１つが用いられる。データベース４３に蓄積されるデータ量を増加させてより確実な結果を得ることができるようにするために、本実施形態では、制御装置４２は、ジャーテストを実行するたびにテスト結果（水質条件及びテスト条件も含む）をデータベース４３に送信することが極めて好ましい。
【００２４】
次に、本実施形態の凝集処理装置の運転方法について説明する。
【００２５】
従来、混和槽や凝集槽を有する凝集処理装置において運転条件を決定するときは、処理対象水に対して人手によってジャーテストを実行することにより適切な運転条件を探索し、その運転条件を満たすように各機器の設定を変更していた。例えば、ｐＨについてはプログラマブルロジックコントローラに目標設定値を入力して、混和槽のｐＨについてフィードバック制御が行なわれるようにし、凝集剤や凝集助剤についても機器での設定変更を行なって注入率を調整していた。
【００２６】
これに対して本実施形態では、従来のものと比べ、凝集処理を行なう部分の構成や各種のセンサ類の構成には変更を加えないものの、処理対象水に対して人間が行なっていたジャーテストの一連手順を自動化し、さらに、ジャーテストのテスト条件の設定も自動で行なえるようにしている。自動化されたジャーテストの結果に基づいて運転条件を自動的に決定し、設備の設定を変更することができる。これにより、本実施形態では、管理者が不在の際にも処理対象水の水質変動に自動的に対応できるようになり、致命的な処理不良トラブルを回避することが期待できる。
【００２７】
図２は、本実施形態の凝集処理装置における運転条件の設定の処理を示すフローチャートである。凝集処理装置の運転を開始すると、制御装置４２は、まず、ステップ１０１において、各種センサを用いて処理対象水の水質を確認し、ステップ１０２において、処理対象水の水質が予め定められている閾値を逸脱しているかを判定する。水質が閾値の範囲内であれば、制御装置４２は、ステップ１０３において、現在設定されているテスト条件により、自動ジャーテスター４１にジャーテストを実行させ、テスト結果を受け取る。制御装置４２は、ステップ１０４において、テスト結果に関して合格かそうでないかを判定する。ステップ１０４において合格ではない場合には、制御装置４２は、ステップ１０５において、予め設定した変動幅と優先順位とにしたがってジャーテストのテスト条件を変化させて、再度、自動ジャーテスター４１にジャーテストを実行させ、テスト結果を受け取る。ステップ１０５の実行後、処理はステップ１０４に戻る。
【００２８】
一方、ステップ１０２において処理対象水の水質が閾値を逸脱しているときは、制御装置４２は、ステップ１０６において、データベース４３から、現在の処理対象水の水質に近い処理対象水に対するジャーテストの結果であって良好な凝集状態を示した結果に対応するテスト条件を呼び出し、呼び出したテスト条件に基づいて自動ジャーテスター４１にジャーテストを実行させ、テスト結果を受け取る。テスト結果を受け取ったら、処理はステップ１０４に移行する。
【００２９】
本実施形態の凝集処理装置では、ジャーテストの結果に基づいて運転条件を設定するときに、運転員の介在なしに自動的に運転条件を設定するのか、あるいは、ジャーテストの結果に基づいて運転条件を決定した後、運転員が承認してからその運転条件を凝集処理装置に実際に設定するのかを選択できるようになっている。そこでステップ１０４においてテスト結果が合格であった場合には、そのテスト結果に基づいて、制御装置４２は、凝集処理装置の新たな運転条件（例えば、凝集剤や凝集助剤の注入量、ｐＨ値、撹拌条件など）を決定し、ステップ１１１において、現在の設定反映方式がオート（自動）であるかセミオート（半自動）であるかを判定する。オートである場合には、そのまま処理をステップ１１３に移行する。セミオートである場合には、制御装置４２は、ステップ１１２において、不図示の表示装置などを介して運転員に対して新たな運転条件を提示し、運転員からの入力を受け付けて運転員がその新たな運転条件による設定変更を承認したか否かを判定する。設定変更が承認された場合には処理はステップ１１３に移行し、承認されなかった場合には処理はステップ１０５に移行する。
【００３０】
ステップ１１３において、制御装置４２は、ジャーテストに基づく新たな運転条件を凝集処理装置に設定する。その後、制御装置４２は、ステップ１１４において、処理水の水質が閾値を逸脱しているかどうかを判定し、逸脱していればステップ１０５に処理を進め、逸脱していなければステップ１１５において定期開始条件を満たしているかを判定する。本実施形態の凝集処理装置では、処理対象水の水質変化を検出しない場合においても、最適条件での凝集処理が行なえているかどうかを確認するために、定期的にジャーテストを行なっている。ステップ１１５の処理は、定期的に行なうジャーテストの実行時期になったか否かを確認するものであり、定期開始条件を満たしていれば処理はステップ１０３に移行し、定期開始条件を満たしていないときは処理対象水における水質変動の引き続く監視のために、処理はステップ１０１に移行する。
【００３１】
図２に示す処理では、ステップ１０２，１１４において、それぞれ、処理対象水及び処理水における水質の変動を検出のために単一の閾値を使用している。しかしながら、各水質の判定において複数の閾値を用い、どの閾値を逸脱したかに応じ、例えば「予め設定した変動幅と優先順位とにしたがってテスト条件を変化させてジャーテストを実行する」あるいは「データベース４２を検索して得られたテスト条件を使用してジャーテストを実行する」のいずれかを選択するようにしてもよい。これにより、流入水質が著しく変動した際にはテスト条件を大きく変化させてジャーテストを実行することができるため、設定が適合せず処理不良となる時間の長さも短くすることができる。
【００３２】
以上説明した本実施形態の凝集処理装置によれば、自動制御を標榜する従来の凝縮処理装置に比べ、精度の高い自動運転が可能となり、また、処理不良となる時間の長さも短くすることができる。
【符号の説明】
【００３３】
１０    混和槽
２０    凝集槽
３０    処理設備
４１    自動ジャーテスター
４２    制御装置
４３    データベース
【図１】
2020006346.tif 000003
【図２】
2020006346.tif 000004